(57)【要約】【課題】温冷補正下着において、補正ベルト本体と、前記補正ベルト本体の両端に設けた、第一サポーター、及び第二サポーターと、前記第一サポーター表面に係止具（面ファスナー、ホックなど）を設け、第二サポーターの裏面に、係止具（面ファスナー、ホックなど）設ける。温冷補正下着（各部）においては、各部にポケットを設け、前記ポケット部に、保温冷剤又は、補正パッドを備える温冷補正下着を提供すること。【解決手段】  従来の補正下着にサポーター、係止具として面ファスナーなどと、ポケット、保温冷剤、補正パッドを備え縫製加工する。【選択図】図１
2015061957.tif 000002
【特許請求の範囲】
【請求項１】
温冷補正下着において、補正ベルト本体と、前記補正ベルト本体の両端に設けた、第一サポーター、及び第二サポーターと、前記第一サポーター表面に係止具（面ファスナー、ホックなど）を設け、第二サポーターの裏面に、係止具（面ファスナー、ホックなど）設ける。温冷補正下着（各部）においては、各部にポケットを設け、前記ポケット部に、保温冷剤又は、補正パッドを備える温冷補正下着。
【発明の詳細な説明】
【技術分野】
【０００１】
以下の文章において、面ファスナー、スナップなどを係止具の代表とする。  
本発明、請求項１記載の温冷補正下着、温冷ポケットの明細として、季節に対応し、吸
湿汗性のある肌触りのよい素材と生地、サポーター（伸縮性のあるメッシュ材が好ましい）、面ファスナー、ポケット、補正パッド、保温冷剤を用い、着付け時の腹部、胸部、鎖骨部の補正に適し、各々の体型に合わせた体型補正が可能で、季節に対応した温度調節を可能とし、装着が迅速で、ずれおちにくく、また美装を目的としたものである。
同じく本発明、請求項１記載の、チャイナランジェ、加工済み長襦袢の明細として、季
節に対応し、吸湿汗性のある肌触りのよい素材と生地、ポケット、補正パッド、保温冷剤を用い、鎖骨部、肩部の補正に適し、各々の体型に合わせた体型補正が可能で、季節に対応した温度調節を可能とし、装着が迅速で、ずれおちにくく、また美装を目的としたものである。
同じく本発明、請求項１記載のガーター下着、温冷着物ショーツの明細として、季節に対応した、保温冷性、伸縮性、フィット感のある素材とファスナー、ショルダーベルト、スナップ、ポケット、保温冷剤を用い、季節ごとの防寒、防暑対策とトイレ時の着脱を、簡易的にすることを目的としたものである。
【背景技術】
【０００２】
着物は日本古来の着衣であり、美しく着付けるには、上半身、特に帯や胸、鎖骨の部分が重要である。以前より着付け時の補正として、タオルや綿花を巻くことが知られているが、装着しにくい（特に自装の場合）、時間と手間がかかり、ずれおちやすく、季節に対応しておらず、防寒、防暑対策に欠け、美装に欠けるなどの問題点があった。
本発明、請求項１記載の温冷補正下着、温冷ポケットにおいて、女性の体型は、様々であるがおうにして、若年層はメリハリがあり、スリムでウエストがくびれ、胸が大きく鎖骨の浮き出ている方が多いが、補正力に欠け補正の手間も多かった。又、洋装時と違い、和装時は、季節の寒暖に適応しにくく、衿合わせに工夫がなかった。
同じく、本発明、請求項１記載のチャイナランジェ、加工済み長襦袢において、季節の
寒暖に適応しにくく、トイレ時においても、下着の着脱に手間取るという問題点があっ
た。
同じく、本発明、請求項１記載のガーター下着、温冷着物ショーツにおいて、冬場は防寒のため、厚着をすることが多いが、和装時のトイレにおいて、下着の着脱に手間取り、防寒対策に欠けまた、夏場は、防暑対策に欠けるという問題点があった。
【先行技術文献】
【特許文献】
【０００３】
【特許文献１】特開 ２００２ −２８５４０１ 号公報
【発明の概要】
【発明が解決しようとする課題】
【０００４】
本発明、請求項１記載の温冷補正下着、温冷ポケットにおいて、季節に対応した、吸湿、吸汗性のある肌触りのよい素材と生地を用いて、様々な体型にあわせて、簡単に装着が可能で（自装にも適する）、着心地も着姿もよく、各々の体型に合わせた体型補正が可能で、調整が可能で、装着が迅速にできる。ずれおちにくく、防寒、防暑対策を兼ね、着姿を整えるという解決課題がある。
同じく、本発明、請求項１記載のチャイナランジェ、加工済み長襦袢において、季節に対応した、吸湿、吸汗性のある肌触りのよい素材と生地を用いて、着心地も着姿もよく、迅速な体型補正と調整と装着が可能で、防寒、防暑対策を兼ね、トイレ時においても、下着の着脱を簡易化するという解決課題がある。
同じく、本発明、請求項１記載のガーター下着、温冷着物ショーツにおいて、季節に対応した、吸湿、吸汗性、保温冷性、伸縮性、フィット感のある素材を用いて、季節に対応し、防寒、防暑対策とトイレ時の着脱をスムーズにし、補正も兼ねるという解決課題がある。
【課題を解決するための手段】
【０００５】
温冷補正下着において、補正ベルト本体と、前記補正ベルト本体の両端に設けた、第一サポーター、及び第二サポーターと、前記第一サポーター表面に係止具（面ファスナー、ホックなど）を設け、第二サポーターの裏面に、係止具（面ファスナー、ホックなど）設ける。温冷補正下着（各部）においては、各部にポケットを設け、前記ポケット部に、保温冷剤又は、補正パッドを備える温冷補正下着。
第２の発明の温冷ポケットにおいて、着物前身頃の鎖骨部裏面に、ポケットを設け、前記ポケット部に、保温冷剤又は、補正パッドを備える温冷ポケット。
第３の発明のチャイナランジェにおいて、 鎖骨部と背面両肩部にポケットを設け、保温冷剤又は、補正パッドを入れ込み、右裾下部にスリットを加工し、機能性をあげるため袖部を加工したチャイナランジェ。
第４の発明の加工済み長襦袢において、鎖骨部と背面両肩部にポケットを設け、保温冷剤又は、補正パッドを入れ込み、右裾下部にスリットを加工し、機能性をあげるため袖部を加工した加工済み長襦袢。
第５の発明のガーター下着において、補正ベルト本体の下部にショルダーベルトを設け、前記ショルダーベルトの下部に第一スナップを備え、更にその第一スナップと大腿部ソックスに備えた第二スナップと連結させ、ファスナーを設ける。また、膝丈部ソックスにもファスナーを備えるガーター下着。
第６の発明の温冷着物ショーツにおいて、股上を浅くし骨盤までの形状とし、リンパ両股部にポケットを備える温冷着物ショーツ。
【発明の効果】
【０００６】
本発明、請求項１記載の温冷補正下着、温冷ポケットにおいて、従来に比べ、季節に対応した、吸湿、吸汗性のある肌触りのよい素材と生地、サポーター、面ファスナー、ポケット、補正パッド、保温冷剤を用いることで、着け心地がよく、各々の体型に合わせた体型補正が可能で（自装にも適する）、調整が可能で、装着が迅速にでき、季節に対応した温度調節を可能とし、ずれおちにくく、着姿が整うという効果がある。
同じく本発明、請求項１記載のチャイナランジェ、加工済み長襦袢において、季節に
対応した、吸湿、吸汗性のある肌触りのよい素材と生地、ポケット、補正パッド、保温
冷剤を用いることで、着け心地がよく、各々の体型に合わせた体型補正が可能で（自装
にも適する）、調整が可能で、装着が迅速にでき、季節に対応した温度調節を可能とし、
ずれおちにくく、着姿が整うという効果がある。また、右下裾部のスリット加工により、
トイレ時が簡易的であり袖の加工により、機能性が上がるという効果がある。
同じく本発明、請求項１記載のガーター下着、温冷着物ショーツにおいて、季節に対
応した、吸湿、吸汗性、保温冷性、伸縮性、フィット感のある素材と、ポケット、補正
クッション、保温冷剤を用いることで、従来に比べ、着け心地がよく、季節に対応した
温度調節とトイレ時の着脱をスムーズにするという効果がある。
【図面の簡単な説明】
【０００７】
【図１】温冷補正下着        ［正面図］
【図１−１】温冷補正下着    ［縫製図］
【図１−２】温冷補正下着    ［縫製図］
【図１−３】温冷補正下着    ［縫製図］
【図２】温冷補正下着        ［側面図］
【図３】温冷補正下着        ［腹部図］
【図４】温冷補正下着        ［胸部図］（加工済長襦袢、加工済み半衿に接合）
【図５】温冷補正下着        ［鎖骨部完成図］
【図６】温冷補正下着        ［胸部表図］（鎖骨部に接合）
【図７】温冷補正下着        ［胸部裏図］（鎖骨部に接合）
【図８】温冷補正下着        ［鎖骨部左右図］
【図９】ガーター下着        ［正面図］（ショルダーベルト付部）
【図１０】ガーター下着      ［正面図］（大腿部ソックスと膝丈部ソックス）
【図１１】温冷ポケット      ［着物鎖骨部図］
【図１２】チャイナランジェ  ［表図］
【図１３】チャイナランジェ  ［裏図］
【図１４】加工済み長襦袢    ［表図］
【図１５】加工済み長襦袢    ［裏図］
【図１６】温冷着物ショーツ  ［正面図］
【発明を実施するための形態】
【０００８】
以下の文章において、面ファスナー、スナップなどを係止具の代表とする。
本発明を実施するための裁断、縫製について実施例をもって説明する。
本発明の単位はcmで、点線の縫いしろは、1から２cmである。
【実施例】
【０００９】
本発明、請求項１記載の温冷補正下着、温冷ポケットは、季節に対応した、吸湿、吸汗性のある肌触りのよい、保温冷剤や補正パッド(縦１０から５０cm、横５から１００cm)を生地に入れやすいように、また体の部位に合わせて、裁断、縫製加工する。
同じく季節に対応した、吸湿、吸汗性のある肌触りの良い縫製済みの生地(大きさは、縫い代分と加工済み素材の厚み分)で、補正パッドを包み、両端にサポーター（伸縮性のある、メッシュ材が好ましく、縦１０から１５０cm、横５から８０cm）と面ファスナー(縦５から８０cm、横は５から７０cm)を縫い付ける。また、部位によっては、ポケットを加工。
同じく、請求項１記載のチャイナランジェ、加工済み長襦袢は、季節に対応した、吸湿、吸汗性のある肌触りのよい素材を用い、鎖骨部と背面両肩部にポケットを縫製し、保温冷剤や補正パッドを使用し、右下裾部にスリット加工。
同じく、請求項１記載のガーター下着は、季節に対応した、吸湿、吸汗性、保温性、伸縮性、フィット感のある素材を使用し、大腿部ソックスと膝丈部ソックスを、裁断、縫製。更に、ファスナー(縦１０から６０cm、横５から１０cm)とスナップ等を縫製する。また、伸縮性のあるショルダーベルト(１０から６０cm)とスナップ、ポケットを、温冷補正下着に縫製し、保温冷剤や補正パッドを使用することにより、季節に対応した、防寒、防暑対策とトイレ時の着脱を簡易的に加工。
同じく、請求項１記載の温冷着物ショーツにおいて、季節に対応した、吸湿、吸汗性、保温性、伸縮性、フィット感のある素材と保温冷剤、補正パッド使用し、股上を浅くし、股関節リンパ部両脇にポケットを備え加工。
【００１０】
本発明、温冷補正下着の裁断、縫製の詳細（サイズは基準サイズ） 
１）補正パットを整えたサイズ
（腹部）  縦  １０〜５０×  横  ５〜１００     1枚  枚数は調節
（胸部）  縦  １０〜５０×  横  ５〜１００     1枚  枚数は調節
（鎖骨部）縦  １０〜５０×  横  ５〜  ５０     2枚  枚数は調節 
２）生地の裁断寸法
（腹部）  縦  １０〜７０×  横  ５〜１２０     1枚    
（胸部）  縦  １０〜７０×  横  ５〜１２０     1枚
（鎖骨部）縦  １０〜７０×  横  ５〜  ７０     2枚
続いて縫製について説明する。   
１）図１温冷補正下着（正面図）に基本型を示す   
２）図１−１温冷補正下着（縫製図）に示すように、上下左右１cm四方に折り返し、返し縫いをする。
３）図１−２温冷補正下着（縫製図）に示すように、補正パッドを包む生地１の上部を、面ファスナー３の幅分だけ折り返し、折り返し部、表面２か所、両脇に面ファスナー３を縫う。
４）図１−３温冷補正下着（縫製図）に示すように、補正パッドを包む生地１の下部を、上部の面ファスナー３に重なるように、おりあげ、裏面２か所、両脇に面ファスナー４を縫う。
５）図１−３温冷補正下着、（縫製図）に示すように、補正パッド挿入部中央部、両端にサポーター５，６を縫製し、更にそのサポーターに面ファスナー３，４を縫製する。
６）２）〜５）までの基本型ものを、四つ作る。（サイズ、面ファスナーの数、縫製箇所は部位により異なる）
７）図２温冷補正下着（側面図）に断面を示す。
８）図３温冷補正下着（腹部図）に示すように縫製は、６）の基本型と同じとし、
左右内側側面にポケット１５を取り付ける。
９）図４温冷補正下着（胸部図）（加工済み長襦袢、加工済み半衿に接合）に示すように、６）の基本型を加工し、表面、左部に加工済み長襦袢または、加工済み半衿の右衿裏がとまるよう、面ファスナー４を縫製。また、ポケット１５を取り付ける。
１０）図５温冷補正下着（鎖骨部完成図）を示す。
【００１１】
１１）図６温冷補正下着（胸部表図）（鎖骨部に接合）に示すように、６）の基本型を加工し、表面、二か所に面ファスナー３を縫製する。
また、図８温冷補正下着（鎖骨部左右図）に示すように、先端に、同じく面ファスナー４を縫製し、図６の面ファスナー３と図８の面ファスナー４をそれぞれ接合する。
１２）図７温冷補正下着（胸部裏図）（鎖骨部に接合）に示すように、６）の基本型を加工し、面ファスナー３，４を縫製する。
また、図８温冷補正下着（鎖骨部左右図）に示すように、先端に、面ファスナー４を縫製し、図７の面ファスナー３と図８の面ファスナー４をそれぞれ接合する。
１３）図９ガ−ター下着（正面図）（ショルダーベルト付部）に示すように、温冷補正下着１１に、ショルダーベルト１０を縫製し、先端部に第一スナップ８を取り付ける。
１４）図１０ガ−ター下着（正面図）（大腿部ソックスと膝丈部ソックス）に示すように、大腿部ソックス１３と膝丈部ソックス１４を縫製し、大腿部ソックス１３には、ファスナー７と第二スナップ９を取り付ける。
膝丈部ソックス１４には、ファスナー７を取り付ける。
１５）図１１温冷ポケット（着物鎖骨部図）に示すように、着物前身ごろ鎖骨部裏面に、ポケット１５を縫製し、図２の補正パッド２を入れ込み厚み調整する。
１６）図１２チャイナランジェ（表図）に示すように、鎖骨部にポケット１５を縫製し、スリット１６を加工。
１７）図１３チャイナランジェ（裏図）に示すように、背面両肩部にポケット１５を縫製する。
１８）図１４加工済み長襦袢（表図）に示すように、鎖骨部にポケット１５を縫製すし、スリット１６を加工。
１９）図１５加工済み長襦袢（裏図）に示すように、背面両肩部にポケット１５を縫製する。
２０）図１６温冷着物ショーツに示すように、股上を浅くし、股関節リンパ両脇にポケット１５を縫製する。
【符号の説明】
【００１２】
１  補正パッドを包む生地
２  補正パッド（ポケットに入れる加工済みの厚み調節可能な部分）
３  係止具としての第一面ファスナー
４  係止具としての第二面ファスナー
５  第一サポーター
６  第二サポーター
７  ファスナー
８  係止具としての第一スナップ
９  係止具としての第二スナップ     
１０  ショルダーベルト
１１  温冷補正下着
１２  ガーター下着（ショルダーベルト付部）
１３  ガーター下着（大腿部ソックス）
１４  ガーター下着（膝丈部ソックス）
１５  温冷ポケット
１６  スリット
【図１】
2015061957.tif 000003
【図１−１】
2015061957.tif 000004
【図１−２】
2015061957.tif 000005
【図１−３】
2015061957.tif 000006
【図２】
2015061957.tif 000007
【図３】
2015061957.tif 000008
【図４】
2015061957.tif 000009
【図５】
2015061957.tif 000010
【図６】
2015061957.tif 000011
【図７】
2015061957.tif 000012
【図８】
2015061957.tif 000013
【図９】
2015061957.tif 000014
【図１０】
2015061957.tif 000015
【図１１】
2015061957.tif 000016
【図１２】
2015061957.tif 000017
【図１３】
2015061957.tif 000018
【図１４】
2015061957.tif 000019
【図１５】
2015061957.tif 000020
【図１６】
2015061957.tif 000021